(57)【要約】【課題】排出トレイ上に積重された媒体の浮き上がりを好適に抑制できる媒体排出装置、及びこれを備えた画像読取装置を提供する。【解決手段】媒体排出装置３０は、媒体を排出する排出ローラー対３２と、排出ローラー対３２によって排出される媒体を支持する排出トレイ３１と、排出ローラー対３２の媒体排出方向の下流側において、排出トレイ３１に向けて媒体を押さえる第１押さえ部４０ａと、前記媒体排出方向と交差する幅方向において第１押さえ部４０ａと間隔を空けて設けられ、排出トレイ３１に向けて媒体を押さえる第２押さえ部４０ｂと、備えて成る押さえ手段４０と、排出トレイ３１に設けられ、媒体排出方向において押さえ手段４０より下流側であって、前記幅方向において第１押さえ部４０ａと第２押さえ部４０ｂとの間に位置し、排出トレイ３１における媒体支持面３８よりも突出する凸部４３とを備える。【選択図】図５
2019202851.tif 000002
【特許請求の範囲】
【請求項１】
媒体を排出する排出手段と、
前記排出手段によって排出される前記媒体を支持する媒体支持部と、
前記排出手段の媒体排出方向の下流側において、前記媒体支持部に向けて前記媒体を押さえる第１押さえ部と、前記媒体排出方向と交差する幅方向において前記第１押さえ部と間隔を空けて設けられ、前記媒体支持部に向けて前記媒体を押さえる第２押さえ部と、備えて成る押さえ手段と、
前記媒体支持部に設けられ、前記媒体排出方向において前記押さえ手段より下流側であって、前記幅方向において前記第１押さえ部と前記第２押さえ部との間に位置し、前記媒体支持部における媒体支持面よりも突出する凸部と、を備える
ことを特徴とする媒体排出装置。
【請求項２】
請求項１に記載の媒体排出装置において、
前記排出手段は、二つのローラーで前記媒体をニップして送る排出ローラー対であり、
前記凸部は、高さ方向において、前記排出ローラー対のニップ位置、または前記ニップ位置より上方で媒体に接触可能に形成されている、
ことを特徴とする媒体排出装置。
【請求項３】
請求項２に記載の媒体排出装置において、
前記凸部は、高さ方向において、前記ニップ位置より上方に位置する頂部と、前記媒体を前記媒体排出方向の上流側から前記頂部に誘う上り斜面と、を備えて形成される、
ことを特徴とする媒体排出装置。
【請求項４】
請求項１から請求項３のいずれか一項に記載の媒体排出装置において、
給送トレイにセットされた媒体を前記排出手段に向けて給送する給送手段を備え、
前記給送手段は、前記幅方向の中央領域に設けられ、
前記第１押さえ部と前記第２押さえ部とは、前記幅方向において、前記給送手段に対して対称となる位置に設けられている、
ことを特徴とする媒体排出装置。
【請求項５】
請求項１から請求項４のいずれか一項に記載の媒体排出装置において、
前記媒体支持部は、前記凸部が設けられる基部と、前記媒体排出方向において前記基部の上流側であって、前記基部よりも一段下がった位置に設けられる凹部と、を備える
ことを特徴とする媒体排出装置。
【請求項６】
請求項５に記載の媒体排出装置において、
前記第１押さえ部及び前記第２押さえ部による媒体押さえ位置は、前記基部上にある、
ことを特徴とする媒体排出装置。
【請求項７】
請求項６に記載の媒体排出装置において、
前記基部のうち、前記媒体押さえ位置を含む上流側領域は、前記媒体排出方向において前記凹部の一部と重なるとともに、前記幅方向の両側に前記凹部が位置するように形成される、
ことを特徴とする媒体排出装置。
【請求項８】
請求項１から請求項７のいずれか一項に記載の媒体排出装置において、
前記排出手段は、駆動ローラーと、前記駆動ローラーとの間で前記媒体をニップする従動ローラーとを備え、
前記駆動ローラーの前記幅方向の両側に、前記駆動ローラーの駆動軸に設けられて前記駆動ローラーと一体に回転する拍車ローラーを備える、
ことを特徴とする媒体排出装置。
【請求項９】
請求項１から請求項８のいずれか一項に記載の媒体排出装置において、
前記媒体支持部は、前記媒体を前記媒体排出方向の下流側に向けて上る方向に傾斜して支持する構成であり、
前記排出手段の前記下流側に、前記媒体支持部に支持された前記媒体の前記媒体排出方向の上流側への移動を規制する規制面を備える、
ことを特徴とする媒体排出装置。
【請求項１０】
請求項９に記載の媒体排出装置において、
前記規制面に、前記幅方向と交差する方向に延設される複数のリブが、前記幅方向の端部寄りの領域を避けて間隔を空けて配設されている、
ことを特徴とする媒体排出装置。
【請求項１１】
請求項９または請求項１０に記載の媒体排出装置において、
前記凸部は、前記規制面から、前記媒体排出装置において排出可能な最大サイズの媒体の長辺の２分の１の長さの距離までの位置で媒体に接触可能に形成されている、
ことを特徴とする媒体排出装置。
【請求項１２】
請求項１から請求項１１のいずれか一項に記載の媒体排出装置において、
前記媒体支持部の少なくとも一部を覆う覆い部と、
前記覆い部の前記媒体支持部と対向する面に設けられ、前記幅方向に間隔を空けて複数設けられる上部リブと、を備え、
前記凸部は、前記幅方向に間隔を空けて設けられる二つの支持リブを備えて成り、
複数の前記上部リブは、前記幅方向において、二つの前記支持リブの外側に配置されている、
ことを特徴とする媒体排出装置。
【請求項１３】
請求項１から請求項１２のいずれか一項に記載の媒体排出装置において、
前記排出手段は、前記媒体排出方向の逆方向に前記媒体を搬送可能に構成されている、
ことを特徴とする媒体排出装置。
【請求項１４】
媒体の画像を読み取る読取部と、
前記読取部で読み取られた前記媒体を排出する請求項１から請求項１３のいずれか一項に記載の前記媒体排出装置と、を備える
ことを特徴とする画像読取装置。
【発明の詳細な説明】
【技術分野】
【０００１】
本発明は、媒体を排出する媒体排出装置、及び当該媒体排出装置を備えた画像読取装置に関するものである。
【背景技術】
【０００２】
画像読取装置の一例であるスキャナーには、原稿としての媒体の自動送り装置（ＡＤＦ（Ａｕｔｏ  Ｄｏｃｕｍｅｎｔ  Ｆｅｅｄｅｒ）とも呼ばれる）が設けられ、複数枚の媒体の自動送りと読み込みとを行えるように構成されるものがある。送られた複数枚の媒体は、自動送り装置の搬送方向下流側に設けられる読取部において読み取られる。
【０００３】
このようなスキャナーでは、読取部の下流側にローラー等の排出手段が設けられ、媒体が装置外部に排出されるとともに、排出トレイ（排紙スタッカーなどとも呼ばれる）に排出順に積重されるように構成された媒体排出装置を備える場合がある。
【０００４】
また、スキャナーにおいては、媒体の両面の画像を読み取るため、片面の読み取り後に、媒体をスイッチバックさせるとともに表裏面を逆転して読取部へ戻すよう構成されるものがある（例えば、特許文献１）。  
特許文献１において、片面の読み取り後の媒体のスイッチバックは、排出トレイへの排出部に配置された排出手段（ローラー対）によって行われている。
【先行技術文献】
【特許文献】
【０００５】
【特許文献１】特開２０１４−７６８９７号公報
【発明の概要】
【発明が解決しようとする課題】
【０００６】
ここで、排出手段によって媒体をスイッチバックする場合に、既に排出トレイ上に積重された媒体が浮き上り、排出トレイ上の媒体がスイッチバックされる媒体と共に排出手段に巻き込まれる不具合が生じることがあった。
【０００７】
上記不具合を抑制するため、特許文献１のスキャナーにおいては、排出手段（特許文献１における排出ローラー４４）のすぐ下流側で排出トレイ上に積重された媒体の後端を押える押さえ手段（特許文献１におけるシート押さえ機構６０）が設けられている。  
押さえ手段は、媒体の搬送方向と交差する幅方向の一部を押さえるように配置されるが、例えば、幅方向の中央領域を押さえると、媒体の幅方向の両端部が浮き易くなり、媒体の排出手段への巻き込みを抑制することができない。
【０００８】
媒体の後端に対し、幅方向の全領域を押さえるように押さえ手段を構成すれば、幅方向の両端部が浮き上がらなくなるが、搬送抵抗が増加する。  
また、スイッチバック動作を行わない場合でも、排出トレイ上の媒体の後端が浮き上がると、後続の媒体の排出を妨げる場合がある。
【０００９】
上記問題に鑑み、本発明の目的は、排出トレイ上に積重された媒体の浮き上がりを好適に抑制できる媒体排出装置、及びこれを備えた画像読取装置を提供することにある。
【課題を解決するための手段】
【００１０】
上記課題を解決する為の、本発明の第１の態様に係る媒体排出装置は、媒体を排出する排出手段と、前記排出手段によって排出される前記媒体を支持する媒体支持部と、前記排出手段の媒体排出方向の下流側において、前記媒体支持部に向けて前記媒体を押さえる第１押さえ部と、前記媒体排出方向と交差する幅方向において前記第１押さえ部と間隔を空けて設けられ、前記媒体支持部に向けて前記媒体を押さえる第２押さえ部と、備えて成る押さえ手段と、前記媒体支持部に設けられ、前記媒体排出方向において前記押さえ手段より下流側であって、前記幅方向において前記第１押さえ部と前記第２押さえ部との間に位置し、前記媒体支持部における媒体支持面よりも突出する凸部と、を備えることを特徴とする。
【００１１】
本態様によれば、前記媒体排出装置は前記排出手段の媒体排出方向の下流側において、前記媒体支持部に向けて前記媒体を押さえる第１押さえ部と、前記媒体排出方向と交差する幅方向において前記第１押さえ部と間隔を空けて設けられ、前記媒体支持部に向けて前記媒体を押さえる第２押さえ部と、備えて成る押さえ手段と、前記媒体支持部に設けられ、前記媒体排出方向において前記押さえ手段より下流側であって、前記幅方向において前記第１押さえ部と前記第２押さえ部との間に位置し、前記媒体支持部における媒体支持面よりも突出する凸部と、を備えるので、前記媒体を、前記幅方向の両端部側が下がった山形姿勢にすることができる。  
以って、前記媒体の前記幅方向の両端部の浮き上がりを抑制し、より適切な姿勢で前記媒体を前記媒体支持部にスタックすることができる。
【００１２】
本発明の第２の態様は、第１の態様において、前記排出手段は、二つのローラーで前記媒体をニップして送る排出ローラー対であり、前記凸部は、高さ方向において、前記排出ローラー対のニップ位置、または前記ニップ位置より上方で媒体に接触可能に形成されている、ことを特徴とする。
【００１３】
本態様によれば、前記排出手段は、二つのローラーで前記媒体をニップして送る排出ローラー対であり、前記凸部は、高さ方向において、前記排出ローラー対のニップ位置、または前記ニップ位置より上方で媒体に接触可能に形成されているので、例えば、前記媒体の剛性が高い場合でも、前記排出ローラー対から前記媒体支持部に排出された前記媒体が確実に前記凸部に接触して支持される構成とすることができる。
【００１４】
本発明の第３の態様は、第２の態様において、前記凸部は、高さ方向において、前記ニップ位置より上方に位置する頂部と、前記媒体を前記媒体排出方向の上流側から前記頂部に誘う上り斜面と、を備えて形成される、ことを特徴とする。
【００１５】
本態様によれば、高さ方向において、前記ニップ位置より上方に位置する頂部と、前記媒体を前記媒体排出方向の上流側から前記頂部に誘う上り斜面と、を備えて形成される前記凸部によって、第２の態様を実現できる。
【００１６】
本発明の第４の態様は、第１の態様から第３の態様のいずれかにおいて、給送トレイにセットされた媒体を前記排出手段に向けて給送する給送手段を備え、前記給送手段は、前記幅方向の中央領域に設けられ、前記第１押さえ部と前記第２押さえ部とは、前記幅方向において、前記給送手段に対して対称となる位置に設けられている、ことを特徴とする。
【００１７】
前記給送手段が前記幅方向の中央領域に設けられていると、媒体は前記幅方向の中央付近を山または谷にして撓み易くなる。前記幅方向の中央付近が谷になった状態で前記媒体が前記媒体支持部上にスタックされると、前記幅方向の両端部が浮き上がる虞がある。  
本態様によれば、前記第１押さえ部と前記第２押さえ部とは、前記幅方向において、前記給送手段に対して対称となる位置に設けられているので、前記媒体の前記幅方向の両端部の浮き上がりを効果的に抑制できる。
【００１８】
本発明の第５の態様は、第１の態様から第４の態様のいずれかにおいて、前記媒体支持部は、前記凸部が設けられる基部と、前記媒体排出方向において前記基部の上流側であって、前記基部よりも一段下がった位置に設けられる凹部と、を備えることを特徴とする。
【００１９】
本態様によれば、前記媒体支持部が、前記凸部が設けられる基部と、前記媒体排出方向において前記基部の上流側であって、前記基部よりも一段下がった位置に設けられる凹部と、を備えることにより、前記媒体の後端（前記媒体排出方向の上流側）が前記基部より一段下がった前記凹部に納まってスタックされるので、前記媒体の後端の浮き上がりを抑制できる。
【００２０】
本発明の第６の態様は、第５の態様において、前記第１押さえ部及び前記第２押さえ部による媒体押さえ位置は、前記基部上にある、ことを特徴とする。  
本態様によれば、前記媒体支持部上に媒体をより適切にスタックすることができる。
【００２１】
本発明の第７の態様は、第６の態様において、前記基部のうち、前記媒体押さえ位置を含む上流側領域は、前記媒体排出方向において前記凹部の一部と重なるとともに、前記幅方向の両側に前記凹部が位置するように形成される、ことを特徴とする。
【００２２】
本態様によれば、前記基部のうち、前記媒体押さえ位置を含む上流側領域は、前記媒体排出方向において前記凹部の一部と重なるとともに、前記幅方向の両側に前記凹部が位置するように形成されるので、前記媒体の後端の浮き上がりを一層効果的に抑制できる。
【００２３】
本発明の第８の態様は、第１の態様から第７の態様のいずれかにおいて、前記排出手段は、駆動ローラーと、前記駆動ローラーとの間で前記媒体をニップする従動ローラーとを備え、前記駆動ローラーの前記幅方向の両側に、前記駆動ローラーの駆動軸に設けられて前記駆動ローラーと一体に回転する拍車ローラーを備える、ことを特徴とする。
【００２４】
本態様によれば、前記駆動ローラーの前記幅方向の両側に、前記駆動ローラーの駆動軸に設けられて前記駆動ローラーと一体に回転する拍車ローラーを備えるので、前記媒体を前記媒体支持部に向けて安定して排出させることができる。
【００２５】
本発明の第９の態様は、第１の態様から第８の態様のいずれかにおいて、前記媒体支持部は、前記媒体を前記媒体排出方向の下流側に向けて上る方向に傾斜して支持する構成であり、前記排出手段の前記下流側に、前記媒体支持部に支持された前記媒体の前記媒体排出方向の上流側への移動を規制する規制面を備える、ことを特徴とする。
【００２６】
本態様によれば、前記媒体支持部は、前記媒体を前記媒体排出方向の下流側に向けて上る方向に傾斜して支持する構成であり、前記排出手段の前記下流側に、前記媒体支持部に支持された前記媒体の前記媒体排出方向の上流側への移動を規制する規制面を備えるので、前記媒体支持部にスタックされた媒体の整列性を高めることができる。
【００２７】
本発明の第１０の態様は、第９の態様において、前記規制面に、前記幅方向と交差する方向に延設される複数のリブが、前記幅方向の端部寄りの領域を避けて間隔を空けて配設されている、ことを特徴とする。
【００２８】
本態様によれば、前記規制面に、前記幅方向と交差する方向に延設される複数のリブが設けられていることにより、前記媒体支持部にスタックされる媒体の後端の整列性を高めることができる。  
また、複数の前記リブが、前記幅方向の端部寄りの領域を避けて間隔を空けて配設されているので、前記排出ローラー対から排出された前記媒体が前記媒体支持部上に落ちてくる際に、前記媒体の幅方向の端部側が前記リブに引っ掛かる虞を低減できる。
【００２９】
本発明の第１１の態様は、第９の態様または第１０の態様において、前記凸部は、前記規制面から、前記媒体排出装置において排出可能な最大サイズの媒体の長辺の２分の１の長さの距離までの位置で媒体に接触可能に形成されている、ことを特徴とする。
【００３０】
本態様によれば、前記凸部が、前記規制面から、前記媒体排出装置において排出可能な最大サイズの媒体の長辺の２分の１の長さの距離までの位置で媒体に接触可能に形成されていることにより、前記媒体を、より確実に前記幅方向の両端部の浮き上がりを抑制する山形姿勢にすることができる。
【００３１】
本発明の第１２の態様は、第１の態様から第１１の態様のいずれかにおいて、前記媒体支持部の少なくとも一部を覆う覆い部と、前記覆い部の前記媒体支持部と対向する面に設けられ、前記幅方向に間隔を空けて複数設けられる上部リブと、を備え、前記凸部は、前記幅方向に間隔を空けて設けられる二つの支持リブを備えて成り、複数の前記上部リブは、前記幅方向において、二つの前記支持リブの外側に配置されている、ことを特徴とする。
【００３２】
本態様によれば、前記媒体支持部にスタックされた前記媒体が前記上部リブに接触した場合に、前記媒体の前記山形姿勢を保持し易い構成とすることができる。
【００３３】
本発明の第１３の態様は、第１の態様から第１２の態様のいずれかにおいて、前記排出手段は、前記媒体排出方向の逆方向に前記媒体を搬送可能に構成されている、ことを特徴とする。
【００３４】
媒体支持部上に先にスタックされる媒体（先行媒体）の後端が浮いていると、前記排出手段が後続の媒体（後続媒体）を前記媒体排出方向の逆方向にスイッチバックする際に、先行媒体を巻き込む虞がある。  
本態様によれば、第１の態様から第１２の態様のいずれかと同様の作用効果により、先行媒体の浮き上がりを抑制し、前記排出手段が媒体をスイッチバックする際に先行媒体が巻き込まれる虞を低減できる。
【００３５】
本発明の第１４の態様に係る画像読取装置は、媒体の画像を読み取る読取部と、前記読取部で読み取られた前記媒体を排出する請求項１から請求項１３のいずれか一項に記載の前記媒体排出装置と、を備えることを特徴とする。
【００３６】
本態様によれば、前記画像読取装置の前記読取部で読み取られた前記媒体を前記媒体排出装置で排出する際に、第１の態様から第１３の態様と同様の作用効果が得られる。
【図面の簡単な説明】
【００３７】
【図１】第１実施形態に係るスキャナーを備える複合機の外観斜視図。
【図２】第１実施形態に係るスキャナーにおけるＡＤＦの給送トレイ及び排出トレイを開放した状態を示す斜視図。
【図３】第１実施形態に係るスキャナーの側断面図。
【図４】第１実施形態に係るスキャナーの要部側断面図。
【図５】第１実施形態に係る媒体排出装置の斜視図。
【図６】第１実施形態に係る媒体排出装置の平面図。
【図７】図４のＣ−Ｃ矢視断面図。
【図８】排出トレイにおける媒体の姿勢について説明する図。
【図９】排出トレイにおける媒体の姿勢について説明する図。
【図１０】図４を別角度から見た断面斜視図。
【図１１】図４のＤ−Ｄ矢視断面図。
【発明を実施するための形態】
【００３８】
［第１実施形態］
まず、本発明の一実施形態に係る媒体排出装置を備える画像読取装置としてのスキャナー１０について、図を参照して説明する。各図において示すＸ−Ｙ−Ｚ座標系において、Ｙ軸方向は記録装置内の搬送経路における媒体の送り方向であり、Ｘ軸方向は媒体の送り方向と交差する幅方向である。Ｚ軸方向は、装置高さ方向を示している。また、媒体が送られていく方向を下流といい、その反対を上流と言う。
【００３９】
本実施形態のスキャナー１０は、図１に示すように、媒体に記録を行う記録装置であるプリンター２を備える複合機１に設けられている。スキャナー１０は、プリンター２の上部に設けられている。  
本実施形態のプリンター２は、一例として、搬送される媒体にインクを吐出して記録を行うインクジェットプリンターとして構成されている。尚、プリンター２の詳細な構成については説明を省略する。  
尚、プリンター２はインクジェットプリンターに限られず、例えば、レーザープリンターとして構成することも可能である。
【００４０】
図１及び図２に示す複合機１の＋Ｘ方向の側面には、操作部３が設けられている。操作部３は操作ボタン及び表示パネルを備えている。本実施形態において操作部３は、スキャナー１０及びプリンター２を操作可能に構成されている。  
尚、本発明に係る画像読取装置は、複合機１を構成するスキャナー１０に限られず、スキャナー単体としての装置であってもよい。
【００４１】
■■■スキャナーの概要■■■
以下、スキャナー１０について説明する。図１〜図３に示すスキャナー１０は、原稿台１４（図３）に載置された媒体を読み取り可能な読取部１６を備えるスキャナー本体１１と、給送トレイ２０に載置された媒体を自動で読取部１６に向けて送るオートドキュメントフィーダー１２（以下、ＡＤＦ１２と言う）と、を備えている。ＡＤＦ１２は、スキャナー本体１１の原稿台１４（図３）に対して閉じた姿勢（図１及び図３）と、原稿台１４を開放する姿勢（図示省略）とを切換え可能に構成されている。より具体的には、ＡＤＦ１２は、スキャナー本体１１の−Ｘ側に設けられたヒンジ部１３（図１）を介してスキャナー本体１１に対して開閉可能に接続されている。ＡＤＦ１２は、−Ｘ側のヒンジ部１３に回動軸を有し、＋Ｘ側の端部を自由端としてスキャナー本体１１に対して回動して開閉する。
【００４２】
図３において、スキャナー本体１１に設けられる読取部１６は、例えばＣＩＳ方式やＣＣＤ方式等の光学式読取部である。読取部１６は原稿台１４の下方に設けられ、Ｙ軸方向に移動可能に構成されており、原稿台１４に載置された媒体を読み取る。原稿台１４は、一例として無色透明のガラスで形成されている。ＡＤＦ１２の下面には、原稿台１４に載置された媒体を押さえる押さえ板１５が設けられている。  
ＡＤＦ１２を開くと原稿台１４が露呈する。ＡＤＦ１２を開いて原稿台１４に媒体を載置し、ＡＤＦ１２を閉じて押さえ板１５によって媒体を押えた状態で、読取部１６をＹ軸方向に移動させて媒体の画像を読み取る。
【００４３】
また、スキャナー１０は、原稿台１４に載置された媒体の読み取りだけでなく、ＡＤＦ１２によって搬送される媒体の読み取りが可能である。  
図３において、読取部１６は、＋Ｙ側の端部に位置するホームポジションにある。読取部１６は、ホームポジションから少し−Ｙ側に移動した位置Ａにおいて、ＡＤＦ１２によって搬送される媒体を読み取る。
【００４４】
ＡＤＦ１２は、図３に示すように、媒体が搬送される搬送経路Ｔ１を備えている。給送トレイ２０にセットされた媒体は、搬送経路Ｔ１の入り口である給送口２３から給送ローラー２５によって搬送経路Ｔ１に送り出され、搬送経路Ｔ１においてスキャナー本体１１の位置Ａにある読取部１６と対向する領域Ｂを通過する際に読取部１６によって読み取られる。読み取り後の媒体は、後述する媒体排出装置３０の排出ローラー対３２（排出手段）によって排出されて、排出トレイ３１（媒体支持部）にスタックされる。  
本実施形態において、排出トレイ３１は、排出ローラー対３２によって排出されてきた媒体を傾斜姿勢で受けるように構成されている。
【００４５】
給送ローラー２５（図３）は、給送トレイ２０にセットされた媒体を排出ローラー対３２に向けて給送する給送手段であり、図７に示すように、幅方向（Ｘ軸方向）の中央領域に設けられている。つまり、ＡＤＦ１２において、媒体はセンター給紙で給送される構成である。  
また、排出ローラー対３２は、不図示の駆動源によって回転駆動される駆動ローラー３３と、駆動ローラー３３との間で媒体をニップする従動ローラー３４とを備えている。すなわち、二つのローラーで媒体をニップして送るように構成されている。
【００４６】
尚、ＡＤＦ１２は、非使用時には、図１に示すように給送トレイ２０が第１カバー体２１によって覆われるようになっている。第１カバー体２１は回動軸２１ａ（図３）を軸として回動可能に構成されており、図１のように給送トレイ２０の上部を覆う第１状態と、図２及び図３のように給送トレイ２０を開放する第２状態と、を切換可能になっている。  
図２及び図３のように開いた第２状態の第１カバー体２１は、給送トレイ２０の上流側で媒体を支持するペーパーサポートとして機能する。
【００４７】
また、図１において第１カバー体２１の−Ｙ側には、第２カバー体２２が設けられている。第２カバー体２２は、回動軸２２ａ（図３）を軸として回動可能に構成されており、図１のように、第１カバー体２１と面一になって複合機１（ＡＤＦ１２）の外観を構成する第３状態と、図２及び図３のように、排出トレイ３１の一部を構成する第４状態と、を切り換え可能になっている。  
第２カバー体２２の第３状態と第４状態との切り替えは、第１カバー体２１の第１状態と第２状態との切換に連動するように構成されている。
【００４８】
図３において、符号２６〜符号２８は、搬送経路Ｔ１において媒体を搬送する複数の搬送ローラーである。  
尚、本実施形態において、搬送経路Ｔ１は媒体を湾曲反転する経路として形成されているが、給送トレイ２０から排出トレイ３１まで媒体を反転することなく読取部１６に向けて送るストレート経路でもよい。
【００４９】
また、ＡＤＦ１２は、媒体の第１面の画像を読み取り後、媒体をスイッチバックさせて反転し、第２面の画像を読み取る、両面読み取りが可能に構成されている。  
排出ローラー対３２は、媒体排出方向の逆方向（＋Ｙ方向）に媒体を搬送可能に構成されている。第１面の画像読み取り後の媒体は、排出ローラー対３２によってスイッチバックされて、排出ローラー対３２による排出時の後端側からスイッチバック経路Ｔ２（図３）に入る。スイッチバック経路Ｔ２は搬送経路Ｔ１の湾曲の上流側に合流しており、媒体は反転されて、読取部１６に読み取りが行われる領域Ｂに送られ、媒体の第２面の画像が読み取られる。第２面の読み取り後の媒体は、排出ローラー対３２によって排出されて、排出トレイ３１にスタックされる。
【００５０】
■■■媒体排出装置について■■■
続いて、読取部１６で読み取られた媒体を排出する媒体排出装置３０について説明する。  
図４及び図５に示す媒体排出装置３０は、媒体を排出する「排出手段」としての排出ローラー対３２と、排出ローラー対３２によって排出される媒体を支持する「媒体支持部」としての排出トレイ３１と、排出トレイ３１に向けて媒体を押さえる押さえ手段４０と、排出トレイ３１に設けられる凸部４３と、を備えている。
【００５１】
＜＜＜押さえ手段について＞＞＞
押さえ手段４０は、図５に示すように、排出ローラー対３２の媒体排出方向の下流側（−Ｙ側）において、排出トレイ３１に向けて媒体を押さえる第１押さえ部４０ａと、媒体排出方向と交差する幅方向（Ｘ軸方向）において第１押さえ部４０ａと間隔を空けて設けられ、排出トレイ３１に向けて媒体を押さえる第２押さえ部４０ｂと、備えて構成されている。
【００５２】
第１押さえ部４０ａ及び第２押さえ部４０ｂは、図４及び図５に示すように、排出ローラー対３２を構成する従動ローラー３４の回転軸３７に設けられて、排出トレイ３１に対して接離するように回動可能に構成されている。  
本実施形態においては、第１押さえ部４０ａ及び第２押さえ部４０ｂは、自重で媒体を排出トレイ３１に向けて押さえる。第１押さえ部４０ａ及び第２押さえ部４０ｂは、例えばバネ等の押圧部材によって、媒体を排出トレイ３１側に押さえる構成とすることも可能である。
【００５３】
また、第１押さえ部４０ａと第２押さえ部４０ｂとは、図７に示すように、幅方向（Ｘ軸方向）において、給送ローラー２５（給送手段）に対して対称となる位置に設けられている。つまり、第１押さえ部４０ａと第２押さえ部４０ｂは、給送ローラー２５を中央に挟んで両側に設けられている。このことによって、媒体Ｐの幅方向の両側の端部Ｅ、Ｅ（図６）の浮き上がりを効果的に抑制できる。  
尚、本実施形態において、給送ローラー２５は、前述したように幅方向の中央領域に設けられている。
【００５４】
＜＜＜凸部について＞＞＞
凸部４３は、排出トレイ３１に設けられ、媒体排出方向において押さえ手段４０より下流側（−Ｙ側）であって、図６に示すように、幅方向において第１押さえ部４０ａと第２押さえ部４０ｂとの間に位置し、図４に示すように、排出トレイ３１における媒体支持面３８よりも突出している。本実施形態において、凸部４３は、幅方向に間隔を空けて設けられる二つの支持リブ４３ａ、４３ｂを備えて構成されている。
【００５５】
ここで、排出トレイ３１に排出された媒体を、第１押さえ部４０ａと第２押さえ部４０ｂとで押さえる場合に、図８のように凸部４３（支持リブ４３ａ、４３ｂ）に支持されない状態では、媒体（図８において符号Ｐで示す）の幅方向の両側の端部Ｅ、Ｅが浮き上がる場合がある。特に、本実施形態のように、給送ローラー２５が幅方向の中央領域に設けられるセンター給紙の場合であって、更に上側に給送ローラー２５が設けられ、下側に給送ローラー２５との間で媒体をニップして分離する分離部材（不図示）が設けられる構成では、反転された媒体Ｐには、幅方向の中央部Ｆが谷となる癖がついている虞があり、端部Ｅ、Ｅが浮き上がり易くなる。
【００５６】
特に、媒体Ｐの後端Ｅ１、Ｅ１が上を向くと、排出ローラー対３２（図８においては不図示）で後続の媒体をスイッチバックする場合に、排出トレイ３１上の媒体Ｐがスイッチバックされる後続の媒体と共に排出ローラー対３２に巻き込まれる不具合の虞が増す。また、排出ローラー対３２がスイッチバック動作を行わない場合でも、排出トレイ３１上の媒Ｐの後端Ｅ１、Ｅ１が浮き上がると、後続の媒体の排出を妨げてしまう不具合が生じる虞がある。
【００５７】
本実施形態においては、排出ローラー対３２の媒体排出方向の下流側（−Ｙ側）であって、幅方向において第１押さえ部４０ａと第２押さえ部４０ｂとの間に位置する排出トレイ３１に、媒体支持面３８よりも突出する凸部４３を備えることにより、図９に示すように、媒体Ｐの後端側を第１押さえ部４０ａと第２押さえ部４０ｂによって押さえ、幅方向において第１押さえ部４０ａと第２押さえ部４０ｂとの間に位置する凸部４３によって、媒体Ｐの中央部付近を支持することができる。このことにより、排出トレイ３１にスタックされた媒体Ｐを、幅方向の中央部Ｆが山となり、幅方向の両側の端部Ｅ、Ｅが下がった山形姿勢にすることができる。  
以って、媒体Ｐの幅方向の端部Ｅ、Ｅの浮き上がりを抑制し、媒体Ｐが浮き上がることにより生じる上記不具合の発生を抑制または回避することができる。また、媒体Ｐをより適切な姿勢で排出トレイ３１にスタックすることができる。
【００５８】
また、凸部４３は、図４に示すように、高さ方向（Ｚ軸方向）において、排出ローラー対３２のニップ位置５０、またはニップ位置５０より上方で媒体に接触可能に形成されている。図４において、ニップ位置５０の高さ方向における位置を、符号Ｚ１で表す一点鎖線で示している。  
例えば、剛性の低い媒体は、排出ローラー対３２にニップされつつ排出されると、先端が自重で垂れ下がるが、剛性の高い媒体の場合、先端が垂れさがることなくほぼ水平に排出される場合がある。そのため、凸部４３が排出ローラー対３２のニップ位置５０より低い位置にあると、剛性の高い媒体は凸部４３に接触せずに凸部４３の上方を通過してしまう虞がある。  
凸部４３が、高さ方向において、排出ローラー対３２のニップ位置５０、またはニップ位置５０より上方で媒体に接触可能な位置に設けられていることにより、媒体の剛性が高い場合でも、排出ローラー対３２から排出トレイ３１に排出された媒体が、確実に凸部４３に接触して支持される構成とすることができる。
【００５９】
本実施形態において、凸部４３としての二つの支持リブ４３ａ、４３ｂは、図４に示すように、高さ方向において、ニップ位置５０より上方に位置する頂部４４と、媒体を媒体排出方向の上流側（＋Ｙ側）から頂部４４に誘う上り斜面４５と、を備えて形成されている。支持リブ４３ａ、４３ｂは、高さ方向において、ニップ位置５０より上方に位置する頂部４４を備えるので、排出ローラー対３２から排出される媒体は、ニップ位置５０より上方で凸部４３（支持リブ４３ａ、４３ｂ）に接触して支持される。
【００６０】
また、支持リブ４３ａ、４３ｂは、媒体を媒体排出方向の上流側（＋Ｙ側）から頂部４４に誘う上り斜面４５を備えるので、例えば、剛性が低い媒体の先端が凸部４３より上流側の媒体支持面３８に着地した場合に、排出方向に移動する媒体が凸部４３に引っ掛かる虞を低減できる。
【００６１】
また、凸部４３は、規制面４６から、媒体排出装置３０において排出可能な最大サイズの媒体の長辺の２分の１の長さの距離までの位置で媒体に接触可能に形成されている。  
より具体的には、例えば、媒体排出装置３０において排出可能な最大サイズの媒体がＡ４サイズである場合には、媒体排出方向において、規制面４６から頂部４４までの距離Ｌ（図４）が、Ａ４の長辺の長さ２９７ｍｍの２分の１の長さである１４８．５ｍｍよりも短く設定されている。この構成により、媒体を、より確実に図９に示すような山形姿勢にすることができる。
【００６２】
＜＜＜排出トレイについて＞＞＞
排出トレイ３１は、図４及び図５に示すように、媒体を媒体排出方向の下流側（−Ｙ側）に向けて上る方向に傾斜して支持する構成であり、排出ローラー対３２の下流側に、排出トレイ３１に支持された媒体の媒体排出方向の上流側（＋Ｙ側）への移動を規制する規制面４６を備えている。  
言い換えると、排出トレイ３１の媒体支持面３８は、媒体排出方向の下流側（−Ｙ側）に向けて上る方向に傾斜している。傾斜した媒体支持面３８に媒体が支持されると、排出トレイ３１にスタックされた媒体は、重力により下方である媒体排出方向の上流側（＋Ｙ側）に移動し易い。＋Ｙ側に移動した媒体は規制面４６に当たり、媒体の後端を揃えることができる。以って、排出トレイ３１にスタックされた媒体の整列性を高めることができる。
【００６３】
排出トレイ３１（図４及び図５）は、凸部４３が設けられる基部４１と、媒体排出方向において基部４１の上流側（＋Ｙ側）であって、基部４１よりも一段下がった位置に設けられる凹部４２と、を備えている。言い換えると、凹部４２は、基部４１の上面である媒体支持面３８よりも凹んでいる。
【００６４】
基部４１の上流側（＋Ｙ側）に、基部４１よりも一段下がった位置に設けられる凹部４２があることにより、媒体の後端が凹部４２の凹みに納まってスタックされるので、媒体の後端の浮き上がりを一層抑制できる。
【００６５】
本実施形態において、第１押さえ部４０ａ及び第２押さえ部４０ｂによる媒体押さえ位置４９は、図４及び図５に示すように、基部４１上にある。したがって、排出トレイ３１に媒体をより適切にスタックすることができる。
【００６６】
また、基部４１のうち、媒体押さえ位置４９を含む上流側領域５１（図６）は、媒体排出方向（Ｙ軸方向）において凹部４２の一部と重なるとともに、幅方向（Ｘ軸方向）の両側に凹部４２が位置するように形成されている。このことによって、媒体の後端の浮き上がりを一層効果的に抑制できる。
【００６７】
＜＜＜媒体排出装置における他の構成＞＞＞
◆拍車ローラーについて◆
図５に示すように、駆動ローラー３３の幅方向の両側には、駆動ローラー３３の駆動軸３６に設けられて駆動ローラー３３と一体に回転する拍車ローラー３５が設けられている。  
拍車ローラー３５は、外周に小さな歯を有し、少ない接触面積で媒体に接触する。本実施形態において、拍車ローラー３５は駆動ローラー３３よりも大きな径に形成されている。  
拍車ローラー３５が設けられていることにより、排出ローラー対３２による媒体の排出時に、媒体が確実に排出ローラー対３２のニップから外れるようにすることができる。以って、媒体を排出トレイ３１に向けて安定して排出させることができる。
【００６８】
◆規制面に設けられるリブについて◆
また、図５に示す規制面４６には、幅方向（Ｘ軸方向）と交差する方向（Ｚ軸方向）に延設される複数のリブ４７が、幅方向の端部寄りの領域を避けて間隔を空けて配設されている。言い換えると、拍車ローラー３５の下方にはリブ４７が設けられていない。  
規制面４６に複数のリブ４７が設けられていることにより、排出トレイ３１にスタックされる媒体の後端の整列性を高めることができる。
【００６９】
ここで、規制面４６にリブ４７があると、排出ローラー対３２のニップから外れて排出された媒体が排出トレイ３１に落ちてくる際に、抵抗となって引っ掛かる虞がある。特に、媒体の幅方向の両側の端部Ｅ、Ｅ（図６）がリブ４７に引っ掛かると、媒体Ｐが浮き上がることにより生じる上記不具合が発生する虞がある。  
特に、本実施形態においては、幅方向の端部に、駆動ローラー３３よりも大径の拍車ローラー３５が設けられているので、媒体の幅方向の端部Ｅ、Ｅが浮いていると、上記不具合の発生の虞が高くなる。  
本実施形態においては、リブ４７が幅方向の端部寄りの領域を避けて間隔を空けて配設されているので、媒体の幅方向の両側の端部Ｅ、Ｅがリブ４７に引っ掛かって浮き上がる虞を低減できる。
【００７０】
◆凸部の上方に設けられる上部リブについて◆
本実施形態において、排出トレイ３１（媒体支持部）のうち、凸部４３が設けられる基部４１の上方は、図３に示すように、給送トレイ２０によって覆われている。給送トレイ２０は、排出トレイ３１の少なくとも一部である基部４１を覆う「覆い部」である。「覆い部」としての給送トレイ２０の排出トレイ３１と対向する面、すなわち下面には、幅方向（Ｘ軸方向）に間隔を空けて複数設けられる上部リブ４８（図１０及び図１１も参照）が設けられている。
【００７１】
凸部４３は、既述の通り、幅方向に間隔を空けて設けられる二つの支持リブ４３ａ、４３ｂを備えて成り、複数の上部リブ４８は、図１１に示すように、幅方向において、二つの支持リブ４３ａ、４３ｂの外側に配置されている。言い換えると、支持リブ４３ａと支持リブ４３ｂとの間には、上部リブ４８は設けられていない。
【００７２】
排出トレイ３１への媒体のスタック枚数が増えると、媒体が排出トレイ３１の上方にある給送トレイ２０の下面に接触する場合がある。給送トレイ２０の下面に上部リブ４８が設けられていることにより、媒体が給送トレイ２０の下面に接触した場合の搬送抵抗を低減することができる。  
また、複数の上部リブ４８が、支持リブ４３ａと支持リブ４３ｂとの間に無く、支持リブ４３ａ及び支持リブ４３ｂの外側に配置されていることにより、媒体が上部リブ４８に接触した場合に、押さえ手段４０と凸部４３によって形成した媒体の山形姿勢（図９）の山が潰される虞を低減することができる。以って、媒体の山形姿勢を保持し易い構成とすることができる。
【００７３】
尚、媒体排出装置３０は、スキャナー１０のＡＤＦ１２の他、例えば、プリンター等の記録装置の媒体排出装置に適用することも可能である。
【００７４】
本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００７５】
１…複合機、２…プリンター、３…操作部、
１０…スキャナー（媒体読取装置）、１１…スキャナー本体、１２…オートドキュメントフィーダー（ＡＤＦ）、１３…ヒンジ部、１４…原稿台、１５…押さえ板、１６…読取部、２０…給送トレイ、２１…第１カバー体、２２…第２カバー体、２３…給送口、２５…給送ローラー、２６…搬送ローラー対、２７…搬送ローラー対、２８…搬送ローラー対、３０…媒体排出装置、３１…排出トレイ（媒体支持部）、３２…排出ローラー対（排出手段）、３３…駆動ローラー、３４…従動ローラー、３５…拍車ローラー、３６…駆動軸、３７…回転軸、３８…媒体支持面、４０…押さえ手段、４０ａ…第１押さえ部、４０ｂ…第２押さえ部、４１…基部、４２…凹部、４３…凸部、４３ａ、４３ｂ…支持リブ、４４…頂部、４５…斜面、４６…規制面、４７…リブ、４８…上部リブ、４９…媒体押さえ位置、５０…ニップ位置、５１…上流側領域、５２…上部リブ、Ｔ１…搬送経路、Ｔ２…スイッチバック経路、Ｐ…媒体
【図１】
2019202851.tif 000003
【図２】
2019202851.tif 000004
【図３】
2019202851.tif 000005
【図４】
2019202851.tif 000006
【図５】
2019202851.tif 000007
【図６】
2019202851.tif 000008
【図７】
2019202851.tif 000009
【図８】
2019202851.tif 000010
【図９】
2019202851.tif 000011
【図１０】
2019202851.tif 000012
【図１１】
2019202851.tif 000013